【手続補正書】
【提出日】平成17年5月13日(2005.5.13)
【手続補正１】
【補正対象書類名】明細書
【補正対象項目名】特許請求の範囲
【補正方法】変更
【補正の内容】
【特許請求の範囲】
【請求項１】
基準電圧を発生する基準電圧発生回路、
活性化時、前記基準電圧と内部電圧とを比較し、該比較結果に応じた信号を出力する比較回路、
前記比較回路の出力信号に従って、内部電圧線に電源ノードから電流を供給して前記内部電圧を生成するドライブ回路、
内部電圧レベル設定信号に従って、前記比較回路の比較動作を停止させ、その出力信号を所定電圧レベルに固定して前記ドライブ回路を常時導通状態に設定するための比較制御回路、および
前記内部電圧レベル設定信号に従って前記内部電圧線を前記電源ノードに結合する補助トランジスタを備える、半導体装置。
【請求項２】
前記内部電圧レベル設定信号に従って前記基準電圧発生回路の基準電圧発生動作を停止させる基準電圧制御回路をさらに備える、請求項１記載の半導体装置。
【請求項３】
前記比較回路は、
前記基準電圧と前記内部電圧に相当する電圧とを比較する差動段と、
前記差動段に電流を供給するカレントミラー段とを備え、
前記ドライブ回路は、導通時、前記電源ノードから前記内部電圧線に電流を供給するドライブトランジスタを備え、
前記比較制御回路は、
前記内部電圧レベル設定信号に従って、前記比較回路の第１の内部出力ノードを第１の電圧供給源に結合する第１のトランジスタと、
前記内部電圧レベル設定信号に従って前記比較回路の第２の内部出力ノードを前記第１の電圧供給源と異なる第２の電圧供給源に結合する第２のトランジスタとを備え、前記第２の内部出力ノードが前記ドライブトランジスタのゲートに結合され、前記第１および第２の内部出力ノードには、前記比較回路の活性化時前記差動段の比較結果に応じた差動電圧が生じる、請求項１記載の半導体装置。
【請求項４】
前記比較回路は、
活性化時、前記内部電圧と前記基準電圧とを比較し、該比較結果に応じた信号を生成する比較器と、
前記内部電圧レベル設定信号と動作モード指示信号とに従って、前記比較器に動作電流を選択的に流す電流源トランジスタとを備える、請求項１記載の半導体装置。
【請求項５】
前記比較回路は、
活性化時、前記内部電圧と前記基準電圧とを比較し、該比較結果を示す信号を生成する比較器と、
前記内部電圧レベル設定信号に従って、前記比較器の動作電流の生成を停止する電流源トランジスタとを備える、請求項１記載の半導体装置。
【請求項６】
複数のメモリセルと、
前記内部電圧を動作電源電圧として受けて動作し、前記複数のメモリセルからアドレス信号に従ってメモリセルを選択する周辺回路とをさらに備える、請求項１記載の半導体装置。
【請求項７】
前記内部電圧レベル設定信号に従って選択的に能動化され、第２の基準電圧と内部電源線の第２の内部電圧との比較に基づいて前記内部電源線に前記第２の内部電圧を発生する内部電圧発生回路と、
電圧モード設定信号に従って、前記内部電源線と前記内部電圧線とを電気的に接続する接続制御回路をさらに備える、請求項１記載の半導体装置。
【請求項８】
前記内部電源線の第２の内部電圧を動作電源電圧として受けて動作し、外部信号から内部信号を生成する入力回路をさらに備える、請求項７記載の半導体装置。
【請求項９】
第１の電源電圧を動作電源電圧として受け、モード設定信号に従って選択的に能動化され、能動化時、外部信号から第１の内部信号を生成する第１の入力回路、
第２の電源電圧を動作電源電圧として受け、前記モード設定信号に応答して選択的に能動化され、能動化時、前記外部信号から第２の内部信号を生成する第２の入力回路、
前記第２の入力回路からの第２の内部信号を前記第１の電源電圧レベルの振幅の信号にレベル変換して第３の内部信号を生成するレベル変換回路、および
前記第１の電源電圧を動作電源電圧として受け、前記第１および第３の内部信号に従って、内部回路に伝達される第４の内部信号を生成する入力ゲート回路を備え、前記入力ゲート回路は、前記第１および第２の入力回路の不能動化時においては、該不能動化された入力回路の出力信号に従ってバッファ回路として動作して、前記レベル変換回路または前記第１の入力回路の出力信号をバッファ処理する、半導体装置。
【請求項１０】
前記モード設定信号に従って、前記第１および第２の電源電圧の供給ノードを電気的に短絡する回路をさらに備える、請求項９記載の半導体装置。
【請求項１１】
前記モード設定信号に従って選択的に不能動化され、不能動化時、前記第２の電源電圧の発生動作を停止する内部電圧発生回路をさらに備える、請求項９記載の半導体装置。
【請求項１２】
第１の制御信号を受ける第１の制御信号入力ノードと第１の内部ノードとの間に接続される第１の容量素子、
前記第１の内部ノードの電圧レベルに従って、第２および第３の内部ノードを外部電源電圧レベルにそれぞれプリチャージする第２および第３のトランジスタ、
第２の制御信号を入力する第２の制御信号入力ノードと前記第２の内部ノードとの間に接続される第２の容量素子、
前記第２の内部ノードの電圧レベルに従って選択的に導通し、導通時、前記第３の内部ノードと出力ノードとの間で電荷を伝達する出力トランジスタ、
外部電源ノードの電源電圧と第１の内部電圧ノードの電圧とを動作電源電圧として受け、第３の制御信号に従って第４の内部ノードを駆動するドライブ回路、
前記第４の内部ノードと前記第３の内部ノードとの間に接続される第３の容量素子、
第４の容量素子、および
前記第４の容量素子を、第４の制御信号を受ける第４の制御信号入力ノードと前記第１の内部電圧ノードとの間および前記第４の制御信号入力ノードと前記第３の内部ノードとの間のいずれかの経路に選択的かつ固定的に接続する配線を備える、半導体装置。
【請求項１３】
前記配線は、前記第４の容量素子を前記第４の制御信号入力ノードと前記第３の内部ノードとの間に接続する、請求項１２記載の半導体装置。
【請求項１４】
前記第１の内部電圧ノードは、第２の電源電圧レベルに固定される、請求項１３記載の半導体装置。
【請求項１５】
前記半導体装置は、第５の制御信号を入力する第５の制御信号入力ノードと第５の内部ノードとの間に接続される第５の容量素子、および
前記第５の内部ノードの電圧レベルに従って選択的に導通し、導通時、前記第１のア内部電圧ノードを所定電圧レベルにプリチャージする第４のトランジスタをさらに備え、
前記第４の容量素子は、前記第４の制御信号入力ノードと前記第１の内部電圧ノードとの間に接続される、請求項１２記載の半導体装置。
【請求項１６】
前記第２の制御信号は、前記外部電源ノードの電圧よりも大きな電圧振幅を有する、請求項１２記載の半導体装置。
【手続補正２】
【補正対象書類名】明細書
【補正対象項目名】００５４
【補正方法】変更
【補正の内容】
【００５４】
この発明の第７の観点に係る半導体装置は、第１の制御信号を受ける第１の制御信号入力ノードと第１の内部ノードとの間に接続される第１の容量素子と、第１の内部ノードの電圧レベルに従って、第２および第３の内部ノードを外部電源電圧レベルにそれぞれプリチャージする第２および第３のトランジスタと、第２の制御信号を入力する第２の制御信号入力ノードと前記第２の内部ノードとの間に接続される第２の容量素子と、第２の内部ノードの電圧レベルに従って選択的に導通し、導通時、第３の内部ノードと出力ノードとの間で電荷を伝達する出力トランジスタと、外部電源ノードの電源電圧と第１の内部電圧ノードの電圧とを動作電源電圧として受け、第３の制御信号に従って第４の内部ノードを駆動するドライブ回路と、第４の内部ノードと前記第３の内部ノードとの間に接続される第３の容量素子と、第４の容量素子と、第４の容量素子を、第４の制御信号を受ける第４の制御信号入力ノードと第１の内部電圧ノードとの間および第４の制御信号入力ノードと第３の内部ノードとの間のいずれかの経路に選択的かつ固定的に接続する配線を備える。
【手続補正３】
【補正対象書類名】明細書
【補正対象項目名】００５５
【補正方法】削除
【補正の内容】
【手続補正４】
【補正対象書類名】明細書
【補正対象項目名】００５６
【補正方法】削除
【補正の内容】
【手続補正５】
【補正対象書類名】明細書
【補正対象項目名】００５７
【補正方法】変更
【補正の内容】
【００５７】
一実施例においては、第４の容量素子が、第４の制御信号入力ノードと前記第３の内部ノードとの間に接続される。
別の実施例においては、第１の内部電圧ノードは、第２の電源電圧レベルに固定される。
この半導体装置は、さらに、第５の制御信号を入力する第５の制御信号入力ノードと第５の内部ノードとの間に接続される第５の容量素子と、第５の内部ノードの電圧レベルに従って選択的に導通し、導通時、前記第１のア内部電圧ノードを所定電圧レベルにプリチャージする第４のトランジスタをさらに備える。この構成においては、第４の容量素子は、前記第４の制御信号入力ノードと前記第１の内部電圧ノードとの間に接続される。
好ましくは、第２の制御信号は、その電圧振幅が外部電源電圧よりも大きくされる。
この発明の第８の観点に係る半導体装置は、活性化時、所定電圧レベルの内部電圧を生成する内部電圧発生回路と、この内部電圧発生回路の生成する内部電圧を分圧して分圧電圧を生成する分圧回路と、分圧電圧と基準電圧とを比較する比較回路と、この分圧電圧に従って駆動電流量が調整される電流源を含み、比較回路の出力信号に従って比較結果信号を生成する可変出力回路と、この比較結果信号に従って内部電圧生成回路の内部電圧生成動作を選択的に活性化する電圧制御回路とを含む。